(57)【要約】  基地局（４００）及び対応する方法（３００）であって、肯定応答メッセージを求める移動ユニット（５０２）の第１の要求を送り、この肯定応答メッセージには、移動ユニットが必要とするときにはアップリンクチャネル要求を含められる。基地局が、肯定応答メッセージを受信する予定時刻を特定する（３０４）。肯定応答メッセージを予定時刻に受信しなかったことに応えて、基地局が移動ユニットに推測的パケットアクセス拒否メッセージを条件付きで送り、肯定応答メッセージを求める第２の要求が続く（３０８）。
2007531349.tif 000002
【特許請求の範囲】
【請求項１】
無線データ通信システムの基地局においてアップリンクリソースを求める移動ユニットの要求を速める方法であって、
前記基地局により、前記移動ユニットに肯定応答メッセージを求める第１の要求を送る工程であって、同肯定応答メッセージには前記移動ユニットが必要とする場合はアップリンクチャネル要求が含まれる前記工程と、、
前記基地局により、前記肯定応答メッセージを受信する予定時刻を特定する工程と、
前記肯定応答メッセージを前記予定時刻までに受信しなかったことに応えて、前記基地局により、推測的パケットアクセス拒否メッセージを前記移動ユニットに送り、前記肯定応答メッセージを求める第２の要求が続く工程と、を含む方法。
【請求項２】
請求項１に記載の方法であって、前記基地局により前記推測的パケットアクセス拒否メッセージを送る前記工程が、
前記移動ユニットがアップリンクデータを能動的に送信していない時と、
前記移動体の為に待ち行列に入っていて処理されるのを待機しているアップリンクチャネル要求がない時と、
以前に送られた推測的パケットアクセス拒否メッセージ及び第２の要求に応えて前記移動ユニットが前記アップリンクチャネル要求を再送信するのを、前記基地局が待機していない時と、
連続の推測的パケットアクセス拒否メッセージの数が、定義済みダウンリンクデータフロー中に許容されている最大数に達していない時と、
前記移動ユニットが所定レベルより高いサービス品質（ＱｏＳ）に加入済みである時と、
のうち少なくとも一つの場合のみ、前記推測的パケットアクセス拒否メッセージを条件付きで送る工程を更に含む、方法。
【請求項３】
請求項１に記載の方法であって、前記基地局により前記推測的パケットアクセス拒否メッセージを送る前記工程が更に、ダウンリンクの一時的ブロックフローが、
遅延ダウンリンク解除モードで動作する工程と、
前記遅延ダウンリンク解除モード開始からの所定時間内に動作する工程と
のうち一方である場合のみ、前記推測的パケットアクセス拒否メッセージを条件付きで送る工程を含む、方法。
【請求項４】
アップリンクリソースを求める移動ユニットの要求を速める為の無線データ通信システムの基地局用の装置であって、前記装置が、
前記基地局により、前記移動ユニットに肯定応答メッセージを求める第１の要求を送る為の送信器であって、前記肯定応答メッセージには前記移動ユニットが必要とするときにアップリンクチャネル要求が含まれる前記送信器と、、
前記肯定応答メッセージを受信する為の受信器と、
前記送信器と前記受信器とを制御する為のプロセッサと、
を備え、前記プロセッサが、
前記肯定応答メッセージを受信する予定時刻を特定し、
前記肯定応答メッセージを前記予定時刻に受信しなかったことに応えて、推測的パケットアクセス拒否メッセージを前記移動ユニットへと条件付きで送り、前記肯定応答メッセージを求める第２の要求が続くようプログラムされた、装置。
【請求項５】
請求項４に記載の装置であって、前記プロセッサが、
前記移動ユニットがアップリンクデータを能動的に送信していないときと、
前記移動体の為に待ち行列に入っていて処理されるのを待機しているアップリンクチャ
ネル要求がない時と、
以前に送られた推測的パケットアクセス拒否メッセージ及び第２の要求に応えて前記移動ユニットが前記アップリンクチャネル要求を再送信するのを、前記基地局が待機していない時と、
連続の推測的パケットアクセス拒否メッセージの数が、定義済みダウンリンクデータフロー中に許容されている最大数に達していない時と、
前記移動ユニットが所定レベルより高いサービス品質（ＱｏＳ）に加入済みである時とのうち少なくとも一つの場合のみ、前記推測的パケットアクセス拒否メッセージを送るようプログラムされた、装置。
【請求項６】
請求項４に記載の装置であって、ダウンリンクの一時的ブロックフローが、
遅延ダウンリンク解除モードで動作する工程と、
前記遅延ダウンリンク解除モード開始からの所定時間内で動作する工程と
のうち一方であるときのみ、前記推測的パケットアクセス拒否メッセージを送るよう前記プロセッサがプログラムされた、装置。
【請求項７】
アップリンクリソースを求める移動ユニットの要求を速める為の無線データ通信システムにおける基地局であって、前記基地局が、
前記移動ユニットに肯定応答メッセージを求める第１の要求を送る送信器と、前記肯定応答メッセージが、前記移動ユニットが必要とするときにはアップリンクチャネル要求を有することができ、
前記肯定応答メッセージが供給されたときにこれを受信する受信器と、
前記送信器と前記受信器とを制御するプロセッサとを備え、前記プロセッサが、
前記肯定応答メッセージを受信する予定時刻を特定するよう、
前記肯定応答メッセージを前記予定時刻に受信しなかったことに応えて、推測的パケットアクセス拒否メッセージを前記移動ユニットへと条件付きで送り、前記肯定応答メッセージを求める第２の要求が続くようプログラムされた、基地局。
【請求項８】
請求項７に記載の基地局であって、前記プロセッサが、
前記移動ユニットがアップリンクデータを能動的に送信していない時と、
前記移動体の為に待ち行列に入っていて処理されるのを待機しているアップリンクチャネル要求がない時と、
以前に送られた推測的パケットアクセス拒否メッセージ及び第２の要求に応えて前記移動ユニットが前記アップリンクチャネル要求を再送信するのを、前記基地局が待機していない時と、
連続の推測的パケットアクセス拒否メッセージの数が、定義済みダウンリンクデータフロー中に許容されている最大数に達していない時と、
前記移動ユニットが所定レベルより高いサービス品質（ＱｏＳ）に加入済みである時とのうち少なくとも一つのときのみ、前記推測的パケットアクセス拒否メッセージを送るようプログラムされた、基地局。
【請求項９】
請求項７に記載の基地局であって、ダウンリンクの一時的ブロックフローが、
遅延ダウンリンク解除モードで動作する工程と、
前記遅延ダウンリンク解除モード開始からの所定時間内に動作する工程と
のうち一方であるときのみ、前記推測的パケットアクセス拒否メッセージを送るよう前記プロセッサがプログラムされた、基地局。
【発明の詳細な説明】
【技術分野】
【０００１】
本発明は一般に無線通信システムに関し、より具体的には、そのような無線通信システムにおいてアップリンクリソースを求める移動ユニットの要求を速める方法及び装置に関する。
【背景技術】
【０００２】
汎用パケット無線サービス（ＧＰＲＳ）などの無線通信システムでは、基地局システム（ＢＳＳ）がダウンリンクデータブロックをポーリングすることによってパケットダウンリンクＡＣＫ／ＮＡＣＫ（ＰＤＡＫ）を要求する。すると移動体が、必要なときにＰＤＡＫでチャネル要求を送ることでアップリンクリソースを要求する。チャネル要求を送った後で、移動体は第１のタイマを始動させる。第１のタイマの持続時間の値はシステム情報メッセージのネットワークにより設定されている。その値はＧＰＲＳでは、最短で５００ｍｓ、最長では４秒（例えば、ひどく混雑したシステムの場合）になり得る。移動体が、ＰＤＡＫでチャネル要求を送った後で、パケットアップリンクリソース割り当て（ＰＵＡ）を受信しなかった場合は、第１のタイマが終了するかパケットアクセス拒否メッセージ（ＰＡＲ）が受信されるかしないうちは、移動体は新しいチャネル要求を別のＰＤＡＫで送らない。第１のタイマが終了しないうちは新しいチャネル要求が許可されないのは、基地局が当初のチャネル要求に応答する時間を確保するよりも前に移動ユニットが多数のチャネル要求を立て続けに送らないようにすることで、追加の不必要なチャネル要求のせいで基地局を過負荷にする恐れをなくす為である。先行技術のＧＰＲＳでは、パケットアクセス拒否メッセージ（ＰＡＲ）が送られるのは、システムが混雑しており、ＰＤＡＫのチャネル要求によりアップリンクアクセスを要求している移動体に配分できるアップリンクリソースがないときのみである。ＰＡＲを受け取り次第、移動体は、ネットワークによりＰＡＲで送られた待機指示値の持続時間に亘り第２のタイマを始動させる。移動体は、この第２のタイマが終了するまでは同一のセルでパケットアクセスを更に試みることはできない。セルの再選択に成功した場合は、別のセルでパケットアクセスを試みてもよい。
【０００３】
特定の状況下では、このことが下記の問題を引き起こす。チャネル要求を含むＰＤＡＫがネットワークでとり逃された（例えば、アップリンク干渉のせいで）場合、第１のタイマの持続時間（５００ｍｓ〜４秒）の間は新しいチャネル要求が起動されない。第１のタイマの値に依存して、チャネル要求を含むＰＤＡＫをネットワークがとり逃してから、第１のアップリンクデータブロックの到着（同一の移動体から受信したＰＤＡＫ中の後続のチャネル要求に対するアップリンクリソース割り当てに成功したとき）までの遅延が、６８０ｍｓ〜４１８０ｍｓ（このＧＰＲＳシステムの場合）である。その結果、実質的にはデータ転送速度が低下する。
【発明の開示】
【発明が解決しようとする課題】
【０００４】
従って、アップリンクリソースを求める移動ユニットの要求を速める、無線通信システムにおける方法及び装置が求められている。この方法及び装置は、無線通信システムで現在使われているプロトコル規格に関して修正を全く必要としないことが望ましい。
【発明を実施するための最良の形態】
【０００５】
添付の図面では全体を通じて同じ参照数字が同一の又は機能的に同様な要素を示し、これらの図面は以下の詳細な記述と共に本明細書に組み込まれその一部を形成しており、本発明に従って種々の実施形態を更に詳しく図示し種々の原理及び利点を説明する役割を果
たす。
【０００６】
概説すると、本開示は、移動ユニットへの、より具体的にはそれを動作するユーザへのサービスの提供に基地局を利用する通信システムに関する。特に、このような通信システムを備えた無線通信システムの基地局において、アップリンクリソースを求める移動ユニットの要求を速める方法及び装置として具体化された種々の発明の概念及び原理を論じ開示する。特に問題にしている通信システムは、汎用パケット無線サービス（ＧＰＲＳ）や、拡張型ＧＰＲＳ（ＥＧＰＲＳ）や、ユニバ−サル移動体通信サービス（ＵＭＴＳ）システム及びその改良型などを展開・発展させた通信システムだが、本概念及び原理は他のシステムでも装置でも同様に応用される。
【０００７】
当該の開示は、本発明に係る種々の実施形態で用いる最良の形態を実施できるやり方で更に説明する。本開示は更に、本発明の原理及び利点に対する理解及びその評価を向上させるべく提供されており、どのような形でも本発明を制限する為ではない。本発明は添付の請求項により定義されており、これらの請求項には、本出願係属中になされたあらゆる補正と、発行されたこれらの請求項の全ての同等物とが含まれる。
【０００８】
更に理解されるのは、例えば、第１と第２、上部と下部などの、関係を示す用語の使用が、実体又は動きの一方と他方とを区別する為だけに用いられており、そのような実体又は動きの任意の実際のそのような関係又は順番を、必ずしも必要としない、又はこれを必ずしも含意しないことである。
【０００９】
本発明の機能性の大部分と本発明の原理の多くとが、一つ以上の従来のプロセッサにより又はその中で、又は、カスタムＩＣ又は特定用途向けＩＣなどの集積回路（ＩＣ）により最も良好に実施される。最大限の著しい努力及び多くの設計上の選択が、例えば使用可能時間と現行の技術と経済上の考慮とにより左右されているにもかかわらず、本明細書で開示された概念及び原理により導かれた際には、当業者が最小の実験で容易にこのようなプロセッサをプログラムできる又はこのようなＩＣを生成できることが予期される。従って、簡略にする為に、且つ、本発明に係る原理及び概念を分かりにくくしてしまう危険を最小にする為に、このようなプロセッサ及びＩＣについての更なる議論をするとしても、好適な実施形態に用いられた原理及び概念に対する要点に限定する。
【００１０】
図１を参照すると、タイミング図１００の例によって先行技術の無線通信システムの動作上の問題が描写されている。動作上の問題を説明する為に選択された専門用語及びパラメータ値は、現在の汎用パケット無線サービスのものである。当然のことながら、他の同様な無線データ通信システムが同様な動作上の問題を呈示する場合があるが、少し異なった専門用語及びパラメータ値を用いる可能性がある。
【００１１】
タイミング図１００の開始は、基地局システム（ＢＳＳ、以下基地局）がダウンリンクで移動ユニットにパケットダウンリンクＡＣＫ／ＮＡＣＫ（ＰＤＡＫ）ポーリング１０２を送ることでなされ、このＰＤＡＫポーリング１０２は移動ユニットに肯定応答メッセージを要求し、この肯定応答メッセージには、移動ユニットが必要とするときにアップリンクチャネル要求を含めることができる。ＰＤＡＫポーリングは移動体に周期的に送られ、その周期性はトラフィック条件に依存する。
【００１２】
この例では、移動ユニットがアップリンクリソースを必要としているので、ＰＤＡＫポーリング１０２に対し、移動ユニットがＰＤＡＫでチャネル要求１０４をアップリンクで送信することで応答する。チャネル要求１０４を送信すると同時に、移動ユニットが、通信システムにより設定された持続時間値５００ｍｓ〜４秒の第１のタイマを始動させる。第１のタイマは、第１のタイマが終了するまで、又は、移動体に割り当てられるアップリ
ンクリソースが現在ないことを指し示すパケットアクセス拒否（ＰＡＲ）を移動体が受信するまで、移動ユニットが追加のチャネル要求を送らないようにする。ＰＡＲが受信された際、このＰＡＲには待機指示値（ＷＡＩＴ＿ＩＮＤＩＣＡＴＩＯＮ  ｖａｌｕｅ）が含まれており、この待機指示値が、事実上、第１のタイマを停止させ、この待機指示値に等しい持続時間の第２のタイマを始動させる。第２のタイマも、第２のタイマが終了するまで、移動ユニットが追加のチャネル要求を送らないようにする。
【００１３】
残念なことに、このタイミング図１００の例では、チャネル要求１０４が基地局に受信されなかった（例えば、アップリンク干渉のせいで）。よって基地局は、次のＰＤＡＫポーリング１０６の時間になるまでは移動ユニットに何も送らない。移動ユニットは、ＰＤＡＫポールに対しＰＤＡＫ１０８を送ることで応答するが、第１のタイマが終了していないのでチャネル要求はしない。再び、基地局が移動ユニットに別のＰＤＡＫポール１１０を送り、再び移動ユニットがＰＤＡＫ１１２を送ることで応答するが、第１のタイマが依然として終了していないのでチャネル要求はしない。基地局が移動ユニットに更にもう一つの別のＰＤＡＫポール１１４を送る。この時点で第１のタイマが終了し、ＰＤＡＫポーリング１１４に対して、移動ユニットがＰＤＡＫでチャネル要求１１６を送信することで応答する。このときは、基地局がチャネル要求を受信し、パケットアップリンクリソース割り当て（ＰＵＡ）１１８を移動体に返す。所望のＰＵＡを受信する為に移動体が最終的に管理されることは事実だが、第１のタイマの影響でＰＵＡが実質的に遅れるので、データ速度が実質的に低下する。
【００１４】
図２を参照すると、タイミング図２００によって、本明細書でこれまでに述べた動作上の問題に対しての、本発明に係る解決法が描写されている。タイミング図２００の開始が、基地局が移動ユニットにＰＤＡＫポーリング２０２を送ることでなされ、このＰＤＡＫポーリング２０２は移動ユニットに肯定応答メッセージを要求し、この肯定応答メッセージには、移動ユニットが必要とするときにアップリンクチャネル要求を含めることができる。
【００１５】
この例では、移動ユニットがアップリンクリソースを必要としているので、ＰＤＡＫポーリング２０２に対し、移動ユニットがＰＤＡＫでチャネル要求２０４を送信することで応答する。チャネル要求２０４を送信すると同時に、移動ユニットが、通信システムにより設定された持続時間値５００ｍｓ〜４秒の第１のタイマを始動させる。第１のタイマは、第１のタイマが終了するまで、又は、移動体に割り当てられるアップリンクリソースが現在ないことを指し示すパケットアクセス拒否（ＰＡＲ）を移動体が受信するまで、移動ユニットが追加のチャネル要求を送らないようにする。ＰＡＲが受信された際、このＰＡＲには待機指示値が含まれており、この待機指示値が、事実上、第１のタイマを停止させ、この待機指示値に等しい持続時間の第２のタイマを始動させる。第２のタイマも、第２のタイマが終了するまで、移動ユニットが追加のチャネル要求を送らないようにする。
【００１６】
前の例に見られるように、チャネル要求２０４が基地局に受信されなかった（例えば、アップリンク干渉のせいで）。しかし、基地局には、基地局が移動ユニットにＰＤＡＫポーリングを送ったことが分かっており、周知の技術によって、全て計画どおりであれば移動体からの肯定応答メッセージを基地局で受信するはずの予定時刻をたやすく特定できる。アップリンクチャネル要求を含む肯定応答メッセージが基地局で予定時刻に受信されなかったとき、本発明に従って、基地局が移動ユニットに「推測的（ｓｐｅｃｕｌａｔｉｖｅ）」パケットアクセス拒否（ＰＡＲ）メッセージ２０６を条件付きで送ることにより応答する。基地が推測的ＰＡＲを送る条件が、本明細書で以下に更に詳しく開示される。
【００１７】
この推測的ＰＡＲ２０６は、好ましくは、通信システムに使われたプロトコル規格に従う通常のＰＡＲメッセージであり、そのシステムによって、待機指示値が非常に小さくな
るよう、例えば、値がゼロであるように設定される。強調すべき重要なことは、先行技術のシステムでは、受信したアップリンクチャネル要求に応えてＰＡＲメッセージが送られるのは、システムが混雑していて要求してきた移動体に配分できるアップリンクリソースがもうないときのみ、ということである。本明細書でこれまでに記載された状況では、移動体により送られたアップリンクチャネル要求が基地局に受信されなくてもシステムが混雑していなければ、これらの条件下では先行技術のシステムはＰＡＲメッセージを送らない。推測的ＰＡＲのある模範的な実施形態が、本発明に従い、ここで更に詳しく記載される。
【００１８】
まず、なぜ推測的ＰＡＲを「推測的（ｓｐｅｃｕｌａｔｉｖｅ）」と呼ぶのかを順を追って説明する。これは、基地局が移動ユニットの動作状況に通じているからである（後で詳述する）。更に、基地局には、要求した肯定応答メッセージを基地局が移動ユニットから予定時刻に受信していないことが分かっている。移動ユニットの動作状況が分かっていれば、基地局は、とり逃したＰＤＡＫにチャネル要求が含まれていた可能性を推測できる。その可能性が高ければ、基地局は推測的ＰＡＲを送る。
【００１９】
移動ユニットが推測的ＰＡＲを受信したとき、直ちに移動ユニットは第１のタイマを停止させ、第２のタイマの持続時間を、推測的ＰＡＲで送られた待機指示値に、好ましくはゼロに設定する。見事、移動ユニットが基地局から別のＰＤＡＫポーリングを受信した途端、移動ユニットは別のアップリンクチャネル要求を送るよう忠告される。
【００２０】
タイミング図２００を再び参照すると、基地局は次に移動体に「勧誘（ｂａｉｔ）」ＰＤＡＫポーリング２０８を送る。この勧誘ＰＤＡＫポーリング２０８は、好ましくは、通信システムに使われたプロトコルに従う規格のＰＤＡＫポーリングであり、移動ユニットとの通信に使用可能な次のダウンリンクタイムスロットで送られる。勧誘ＰＤＡＫポーリング２０８に対し、移動ユニットは、必要なときにはアップリンクチャネル要求を含む規格のＰＤＡＫメッセージ２１０を送ることで応答する。基地局は、移動体にパケットアップリンクリソース割り当て（ＰＵＡ）２１２を送ることで応答する。
【００２１】
今説明したように推測的ＰＡＲ２０６と勧誘ＰＤＡＫポーリング２０８とを送ることにより、本発明に係る基地局は、アップリンクトラフィックフローを確立する為に必要とされる時間（ＧＰＲＳで）を、移動ユニットの第１のタイマの持続時間値に依存して、通信システムの設定に従い、少なくとも３６０ｍｓ、場合によっては３８８０ｍｓも短縮するので、有利である。これにより、実質的に通信システムの有効なデータ速度を高めることができる。
【００２２】
図３を参照すると、フロー図３００によって、アップリンクリソースを求める移動ユニットの要求を速める模範的な方法が描写されている。このフローの開始は、基地局が移動ユニットに肯定応答メッセージを求める第１の要求を送ることでなされ、この肯定応答メッセージには、移動ユニットが必要とするときにはアップリンクチャネル要求が含まれる３０２。基地局は次に、肯定応答メッセージを受信する予定時刻を特定する３０４。この予定時刻は、例えば、既知の往復遅延時間を現在の時刻に加算することにより特定できる。基地局がアップリンクを監視し、肯定応答メッセージが予定時刻に受信されたかどうかを検査する３０６。予定時刻に受信された場合、基地局は普通に、例えば、肯定応答メッセージのその内容に応じた処理を続行する３１０。
【００２３】
一方、肯定応答メッセージが予定時刻に受信されなかった場合は、基地局が推測的パケットアクセス拒否メッセージ（ＰＡＲ）を移動ユニットに送る又は好ましくは条件付きで送り、肯定応答メッセージを求める第２の要求（勧誘ポーリング）が続く。ここで「条件付きで送る（ｃｏｎｄｉｔｉｏｎａｌｌｙ  ｓｅｎｄｓ）」とは、「ある一定の指定され
た条件が満たされたときに送る（ｓｅｎｄｓ  ｗｈｅｎ  ｃｅｒｔａｉｎ  ｓｐｅｃｉｆｉｅｄ  ｃｏｎｄｉｔｉｏｎｓ  ａｒｅ  ｍｅｔ）」の意味である。全般に、基地局が推測的パケットアクセス拒否メッセージを条件付きで送るのは、移動ユニットがアップリンクデータを能動的に送信していないときと、移動体の為に待ち行列に入っていて処理されるのを待機しているアップリンクチャネル要求がないときのみである。加えて、好ましくは、基地局が推測的パケットアクセス拒否メッセージを条件付きで送るのは、以前に送られた推測的パケットアクセス拒否メッセージ及び第２の要求に応えて移動ユニットがアップリンクチャネル要求を再送信するのを、基地局が待機していないときのみである。ここで、「待機していない（ｎｏｔ  ｗａｉｔｉｎｇ  ｆｏｒ）」は、第２の要求に対する応答を受信する予定時刻がまだ来ていないことを含意する。
【００２４】
ある実施形態では、システムが、定義済みダウンリンクデータフロー中に許容される連続の推測的パケットアクセス拒否メッセージの最大数をプログラムされている。この実施形態では、基地局が推測的パケットアクセス拒否メッセージを送るのは、連続の推測的パケットアクセス拒否メッセージの数が、定義済みダウンリンクデータフロー中に許容されている最大数に達していないときのみである。この最大数が、能動的なダウンリンクデータ転送を任意のタイムスロットで行っている移動ユニットの数の関数であることが、認識されるであろう。
【００２５】
別の実施形態では、基地局が推測的パケットアクセス拒否メッセージを送るのは、ダウンリンクの一時的ブロックフロー（即ち、ダウンリンクデータを移動ユニットに送る）が、（ａ）遅延ダウンリンク解除モードで動作する工程と、（ｂ）遅延ダウンリンク解除モード開始からの所定時間内に動作する工程とのうち一方であるときのみである。この遅延ダウンリンク解除モードでは、基地局が、実データを送り終え、ダミーブロックを所定持続時間に亘り送り始めている。これにより、確立されたダウンリンクが、受信したダウンリンクデータを承認する為に移動体が新しいアップリンクリソースを要求するのに十分な期間、維持される。
【００２６】
更にもう一つの別の実施形態では、基地局が推測的パケットアクセス拒否メッセージを送るのは、移動ユニットが所定レベルより高いサービス品質（ＱｏＳ）に加入済みのときのみである。言い換えると、本実施形態では、移動ユニットのユーザが、恐らくは高い料金を支払うが、その代わりに、本発明により提供された速いデータ速度を手にする。
【００２７】
図４を参照すると、電気ブロック図によって、本発明に係る模範的な基地局４００が描写されている。この基地局４００には従来の送信器４０２があり、この送信機４０２は移動ユニットに肯定応答メッセージを求める第１の要求を送り、この肯定応答メッセージは、移動ユニットが必要とするときにはアップリンクチャネル要求を有することができる。基地局４００には更に、送信器４０２に結合され送信器４０２を制御する従来のプロセッサ４０４と、プロセッサ４０４に結合され肯定応答メッセージの受信を試みる従来の受信器４０６とがある。加えて、基地局には、好ましくは、現在の時刻を正確に特定するリアルタイムクロック４２０、例えば、従来の全地球測位システム受信器もある。基地局４００には更に、本発明に従ってプロセッサ４０４を有利にプログラムする為の実行可能なソフトウェアプログラムを保存する従来のメモリ４０８がある。送信器４０２及び受信器４０６は、好ましくは、Ｍｏｔｏｒｏｌａ社などから発売されておりＧＰＲＳ通信システムの基地局で利用されているものと同様のものである。プロセッサ４０４は、好ましくは、Ｍｏｔｏｒｏｌａ社から発売されているプロセッサのＭＣ６８０００ファミリの製品である。当然のことながら、代案として、他の同様なタイプの受信器と送信器とプロセッサとを、基地局４００で利用できる。やはり当然のことながら、リアルタイムクロック４２０と、プロセッサ４０４と、メモリ４０８とのうち、全て又は一部をカスタム集積回路として製造できる。
【００２８】
このメモリ４０８には、所望の通信プロトコル規格、例えば、ＧＰＲＳプロトコル規格や同様な機能性を備えた他のプロトコルなどに従って通信するようプロセッサ４０４をプログラムする為の従来の通信プログラム４１０がある。メモリ４０８には更に、肯定応答メッセージを求める第１の要求を送るよう送信器４０２を制御するようプロセッサ４０４をプログラムする為の第１の肯定応答要求プログラム４１２がある。メモリ４０８には更に、肯定応答メッセージを受信する予定時刻を特定するようプロセッサ４０４をプログラムする為の肯定応答タイマプログラム４１４がある。加えて、メモリ４０８には、送信器４０２を制御するようプロセッサ４０４をプログラムする為の推測的ＰＡＲセンダ４１６もあり、これにより送信器４０２は、肯定応答メッセージを予定時刻に受信しなかったことに応えて、推測的パケットアクセス拒否メッセージを移動ユニットへと条件付きで送る。推測的ＰＡＲを送る条件は、フローチャート３００の記述でこれまでに開示された条件である。メモリ４０８には更に、推測的ＰＡＲに続いて肯定応答メッセージを求める第２の要求を送るようプロセッサ４０４をプログラムする為の第２の肯定応答要求プログラム４１８がある。
【００２９】
図５を参照すると、電気ブロック図によって模範的な無線通信システム５００が描写されている。通信システム５００には、Ｍｏｔｏｒｏｌａ社などから発売されておりＧＰＲＳ通信システムで使われている移動ユニットなどの従来の移動ユニット５０２が複数ある。通信システム５００には更に、複数の移動ユニット５０２に無線で結合された基地局４００が少なくとも一つある。加えて、通信システム５００には、基地局４００の少なくとも一つに結合された従来の制御装置／スイッチ５０４もある。この制御装置／スイッチ５０４は、好ましくは、Ｍｏｔｏｒｏｌａ社などから発売されておりＧＰＲＳ通信システムで利用されているものと同様のものである。加えて、通信システム５００は、任意にネットワーク５０６、例えば、専用データネットワークやこれと通信するインターネットなどに結合されていてもよい。通信システム５００は、以上に開示され論じられた、移動ユニットへのサービスを速める為の原理及び概念を利用するので有利であり、提供される基地局４００は、これらの原理及び概念に従って動作するよう、構築され配列され構成される。
【００３０】
よって、前述の開示から、本発明が、無線データ通信システムの基地局における、アップリンクリソースを求める移動ユニットの要求を速める方法及び装置を提供することが明白である。本方法及び装置は、無線データ通信システムに現在使われているプロトコル規格に対する修正を全く必要としないので、有利である。
【００３１】
本開示は、どのように種々の実施形態を本発明に従って適応させ利用するかを説明するよう意図されており、本発明の、真実の意図された公正な範囲と精神を制限するつもりはない。前述の説明は、網羅的であることや本発明を開示された精密な形態に制限することなどは意図していない。上記の教示に照らして修正又は変形が可能である。本実施形態は、本発明の原理及び本発明の実用例の最も良好な実例をもたらすよう、且つ、当業者が本発明を種々の実施形態で利用できるよう選ばれ記載され、種々の修正が企図された特定の使用に適合された。あらゆるこのような修正及び変形が、添付の請求項により特定された本発明の範囲内にあり、且つ、公正に法的に公平に与えられた権利の広さに従って解釈された際には、本特許出願係属中に補正されたとおりに、添付の請求項のあらゆる同等物により特定された本発明の範囲内にある。
【図面の簡単な説明】
【００３２】
【図１】先行技術の無線通信システムの動作上の問題を描写するタイミング図。
【図２】動作上の問題に対しての、本発明に係る解決法を描写するタイミング図。
【図３】本発明に係る、アップリンクリソースを求める移動ユニットの要求を速める模範的な方法を描写するフロー図。
【図４】本発明に係る模範的な基地局の電気ブロック図。
【図５】本発明に係る模範的な無線通信システムの電気ブロック図。
【図１】
2007531349.tif 000003
【図２】
2007531349.tif 000004
【図３】
2007531349.tif 000005
【図４】
2007531349.tif 000006
【図５】
2007531349.tif 000007
【国際調査報告】
2007531349.tif 000008